(57)【要約】      （修正有）【課題】簡単に充電コードに装着できるとともに、充電コードの一部の全周を覆い隠すことのない充電コードアクセサリーマスコットを提供する。  【解決手段】果物のイチゴをモチーフとして擬人化し、手１ａ、１ｂと足２ａ、２ｂを持たせて、手１ａ、１ｂと足２ａ、２ｂの間に充電コード３のコード部３ａを屈曲させて抱え込む態様で、接着手段を用いずに摩擦力のみで充電コード３に固定する態様とする。イチゴの替わりに他の果物や、動物、野菜、星、花、歴史上の人物、民話・昔話・神話・童話中の描写体、神社仏閣の鳥居・建造物・彫刻物、船・飛行機・ロケット・自動車・バイク等の乗り物、町人・忍者・侍・殿・姫・相撲取り・舞子・芸者・花魁・僧侶・小坊主・山伏・仙人等の人物をモチーフとして形成又は擬人化して手足を持たせ、手１ａ、１ｂと足２ａ、２ｂの間の寸法を各種充電コード３のコード部３ａの直径に合わせて手足の位置、間隔を調整した複数の種類を有する。【選択図】図１
0003224775.tif 000002
【実用新案登録請求の範囲】
【請求項１】
充電コードに使用されるアクセサリーマスコットであって、
該アクセサリーマスコットは、動物、果物、野菜、星、花、歴史上の人物、民話・昔話・神話・童話中の描写体、神社仏閣の鳥居・建造物・彫刻物、船・飛行機・ロケット・自動車・バイク等の乗り物、町人・町方役人・忍者・侍・殿・姫・相撲取り・舞子・芸者・花魁・僧侶・小坊主・山伏・仙人等の人物をモチーフとして形成又は擬人化され、手足を有しており、
該アクセサリーマスコットの上記手足の間に充電コードのコード部を抱え込む態様で、接着手段を用いずに摩擦力のみで上記充電コードに固定される
ことを特徴とする充電コードアクセサリーマスコット。
【請求項２】
上記マスコットは、上記手足の間の寸法において、対応する上記コード部の直径に合わせた複数の種類を有していることを特徴とする、請求項１に記載の充電コードアクセサリーマスコット。
【請求項３】
上記マスコットの材質は、ポリレジン、ＰＶＣ、布、陶器、ガラス、プラスチック、木材、アクリル、皮のいずれか又はこれらの組み合わせであることを特徴とする、請求項１又は２に記載の充電コードアクセサリーマスコット充電コードアクセサリーマスコット。
【考案の詳細な説明】
【技術分野】
【０００１】
本考案は、充電コードアクセサリーマスコットに関する。
【背景技術】
【０００２】
現代社会においてスマートホンをはじめとする携帯電話は正に必需品、必携品であり、これを抜きにして個々人の通信、情報収集やそれらに基づく行動は考えられないほどになっている。
【０００３】
これらの携帯電話は充電式となっているため充電コードもまた必需品となっている。充電コードとしてはＵＳＢポートと携帯電話とをつなぐ態様のものが多く市販されており、携帯電話の種類に応じたアタッチメントをさらに加えた構成のものもある。そしてこの充電コードは、携帯電話だけでなく、ノートパソコン、アイパット、その他カメラ、録音レコーダー等に１００ｖ〜２５０ｖの充電をする際、共通して使用できるものである。
【０００４】
上記機器に充電を行う際、使用されている上記充電コードも人目に付く機会が多く、コード部分に様々のアクセサリーやマスコットを取り付けて楽しむということが行われるようになってきている。
特許文献１にはカメラや携帯電話等のベルト式ストラップに対して簡易に着脱できるアクセサリー部材を提供する考案について記載されている。
また、特許文献２、特許文献３にはケーブルカバーの発明が開示されている。
【先行技術文献】
【特許文献】
【０００５】
【特許文献１】実用新案登録第３０４６９９５号公報
【特許文献２】特許６３３４７８９号公報
【特許文献３】特開２０１９−０３３０６４号公報
【考案の概要】
【考案が解決しようとする課題】
【０００６】
しかしながら、特許文献１の発明はアクセサリー部材の取付け対象が異なり、当然取付け部分の形状が異なるため本考案とは構成が異なるものである。そのため特許文献１の構成を本願の充電コードに適用することはできない。
また、特許文献２、特許文献３の技術はもともと本願とは異なりケーブル（本願の充電コード）の保護を目的としたものであり、その構成においても胴体部分の体内にケーブルを貫通させる態様で本願とは異なっている。ケーブルへの装着も容易とはいえない。さらに、ケーブル保護目的から当然であるが、ケーブルの一定長さがこのケーブルカバーによって完全に遮蔽されてしまい、ケーブル自体にマーキングを行う必要のある場合等には不都合なものである。
【０００７】
本考案は上記問題点に鑑み、簡単に充電コードによりに装着できるとともに、充電コードの一部の全周を覆い隠すことのない充電コードアクセサリーマスコットを提供することを課題とする。  
【課題を解決するための手段】
【０００８】
上記課題を解決するために、請求項１の考案は、充電コードに使用されるアクセサリーマスコットであって、動物、果物、野菜、星、花、歴史上の人物、民話・昔話・神話・童話中の描写体、神社仏閣の鳥居・建造物・彫刻物、船・飛行機・ロケット・自動車・バイク等の乗り物、町人・町方役人・忍者・侍・殿・姫・相撲取り・舞子・芸者・花魁・僧侶・小坊主・山伏・仙人等の人物をモチーフとして形成又は擬人化され、手足を有しており、アクセサリーマスコットの手足の間に充電コードのコード部を抱え込む態様で、接着手段を用いずに摩擦力のみで上記充電コードに固定されることを特徴とする。
請求項２の考案は、さらに、上記手足の間の寸法において、対応するコード部の直径に合わせた複数の種類を有していることを特徴とする。
請求項３の考案は、さらに、マスコットの材質は、ポリレジン、ＰＶＣ、布、陶器、ガラス、プラスチック、木材、アクリル、皮のいずれか又はこれらの組み合わせであることを特徴とする。
【考案の効果】
【０００９】
本考案により、充電コードに簡単に装着でき、コード部の一部の全周を覆い隠すことのない充電コードアクセサリーマスコットが提供される。
また、本考案により、充電コードの複数のサイズの直径に対応して装着できる充電コードアクセサリーマスコットが提供される。
また、本考案により、ポリレジンや布といった様々の材質の充電コードアクセサリーマスコットが提供される。
【図面の簡単な説明】
【００１０】
【図１】本考案の第１の実施形態を示す斜視図である。
【図２】本考案の第２の実施形態を示す斜視図である。
【考案を実施するための形態】
【００１１】
以下、本考案の第１の実施形態について図を用いて説明する。まず本実施形態の構成について説明する。
【００１２】
図１に示すように、本実施形態の充電コードアクセサリーマスコット（以降単にマスコットと記す）１０は、果物のイチゴをモチーフとして擬人化され、手１ａ、１ｂと足２ａ、２ｂを有するマスコットであって、手１ａ、１ｂと足２ａ、２ｂの間に充電コード３のコード部３ａを屈曲させて抱え込む態様で、接着手段を用いずに摩擦力のみで充電コード３に固定される。本実施形態ではイチゴをモチーフとしているが、イチゴの替わりに他の果物や、動物、野菜、星、花、歴史上の人物、民話・昔話・神話・童話中の描写体、神社仏閣の鳥居・建造物・彫刻物、船・飛行機・ロケット・自動車・バイク等の乗り物、町人・町方役人・忍者・侍・殿・姫・相撲取り・舞子・芸者・花魁・僧侶・小坊主・山伏・仙人等の人物等々をモチーフとして形成又は擬人化して、手足を持たせたものとしてもよい。
本実施形態のマスコット１０は手１ａ、１ｂと足２ａ、２ｂの間の寸法が、コード部３ａの直径に合わせた寸法となっているが、他の種類の充電コード３に対しては、そのコード部の直径に合わせた手１ａ、１ｂと足２ａ、２ｂの間の寸法とするためにマスコット１０の形状を変えてもよい。
本実施形態のマスコット１０の材質はポリレジンであるが、ＰＶＣ、布、陶器、ガラス、プラスチック、木材、アクリル、皮のいずれか又はこれらの組み合わせとしてもよい。
【００１３】
次に本実施形態の機能、効果について説明する。
図１に示すように、マスコット１０はコード部３ａを手１ａ、１ｂと足２ａ、２ｂの間にわずかに屈曲させて挿入することにより容易に充電コード３に固定することができる。逆に言えば、マスコット１０は、コード部３ａが手１ａ、１ｂと足２ａ、２ｂの間をわずかに屈曲しながら手足の内側に密着して通るように手１ａ、１ｂと足２ａ、２ｂの位置、間隔を調整して作製される。  
【００１４】
マスコット１０は訪日旅行客向け、日本人向け、子供向け、お年寄向けといった対象層の特徴や年齢に合わせて上記様々のモチーフを用いることができる。そして、対象層が広いため誰でも簡単に充電コード３にマスコット１０を取り付けられることが求められるが、上述のように取り付けは極めて簡単であり、従来品のようにマスコットにコード部を通すために力を要するといったことはない。
【００１５】
さらに、マスコット１０は充電コード３に固定された状態においてコード部３ａの全周を覆ってしまうことがなく、コード部３ａの表面はほぼ全長をに亘って露出部分を有している。これにより、コード部３ａの表面状態のチェックが確実に行え、コード部３ａの表面にマーキングが施される場合はマスコット１０の取り付け位置によらずマーキングの確認ができる。  
マスコット１０の材質のポリレジンは表面が滑らかで光沢があり、マスコット１０表面への彩色や模様の描写も容易に行える。
【００１６】
次に、図２で第２の実施形態について説明する。
本実施形態は、マスコット２０の材質が布で構成されている。
マスコット２０はコード部３ａを手１ａ、１ｂと足２ａ、２ｂの間に挿入後、手１ａ、１ｂの各先端部１ｃ、１ｄ及び足２ａ、２ｂの各先端部２ｃ、２ｄを糸で縫い合わせることで充電コード３に固定される。マスコット２０は布ならではの温かみを表現することができる。第１の実施形態と同様に、コード部３ａの全周を覆ってしまう部分が少ないため、第１の実施形態と同様の上記効果を奏する。
【符号の説明】
【００１７】
１ａ、１ｂ  手
１ｃ、１ｄ  手先端部
２ａ、２ｂ  足
２ｃ、２ｄ  足先端部
３  充電コード    
３ａ  コード部
１０  マスコット
２０  マスコット
【図１】
0003224775.tif 000003
【図２】
0003224775.tif 000004